(57)【要約】ネットワーク３を介して情報提供用のサーバ４に接続され、近距離無線通信機能を有する携帯端末１に対するサーバ４の情報提供サービスを中継するためにアクセスポイントに設置される無線通信装置２は、ネットワーク３に接続するためのネットワークインターフェイス２６と、携帯端末１との近距離無線通信を行うための無線通信インターフェイス２１と、携帯端末１との近距離無線通信に先立って通信確立のための接続情報を携帯端末１との間で交換する接続情報交換部２５と、接続情報交換部２５による接続情報の交換処理及び無線通信インターフェイス２１による携帯端末１との通信確立処理の制御を行う無線通信管理部２４とを備えている。
2003061205.tif 000002
【特許請求の範囲】
【請求項１】
ネットワークを介して情報提供用のサーバに接続された通信中継用の無線通信装置と、前記サーバから情報提供を受けるために近距離無線通信によって前記無線通信装置に接続する携帯端末とからなる近距離無線通信システムであって、
前記無線通信装置は、前記ネットワークに接続するためのネットワークインターフェイスと、前記携帯端末との近距離無線通信を行うための無線通信インターフェイスと、前記携帯端末との近距離無線通信に先立って通信確立のための接続情報を前記携帯端末との間で交換する接続情報交換部と、前記接続情報交換部による接続情報の交換処理及び前記接続情報に基づく前記携帯端末との通信確立処理の制御を行う無線通信管理部とを備え、
前記携帯端末は、前記無線通信装置との近距離無線通信を行うための無線通信インターフェイスと、前記無線通信装置との近距離無線通信に先立って通信確立のための接続情報を前記無線通信装置との間で交換する接続情報交換部と、前記接続情報交換部による接続情報の交換処理及び前記接続情報に基づく前記無線通信装置との通信確立処理の制御を行う無線通信管理部とを備えていることを特徴とする近距離無線通信システム。
【請求項２】
前記無線通信装置の接続情報交換部と前記携帯端末の接続情報交換部との間で双方向に前記接続情報が送受信されることを特徴とする
請求項１記載の近距離無線通信システム。
【請求項３】
前記無線通信装置の接続情報交換部から前記携帯端末の接続情報交換部へ一方向に前記接続情報が送受信されることを特徴とする
請求項１記載の近距離無線通信システム。
【請求項４】
前記無線通信装置の接続情報交換部と前記携帯端末の接続情報交換部とが互いに接触する接続端子を備え、その接続端子間の接触によって前記接続情報が送受信されることを特徴とする
請求項１記載の近距離無線通信システム。
【請求項５】
前記無線通信装置の接続情報交換部と前記携帯端末の接続情報交換部とが無線通信、光通信、及び光学読み取りのような非接触の情報伝達手段によって前記接続情報の送受信を行うことを特徴とする
請求項１記載の近距離無線通信システム。
【請求項６】
前記非接触の情報伝達手段が指向性を有することを特徴とする
請求項５記載の近距離無線通信システム。
【請求項７】
前記接続情報は、ＤＮＳ、ゲートウェイを含むサーバ情報、プリンタアドレス、メールアドレス、ウェブアドレスを含むサービス情報、及び暗号情報のうちの少なくとも１つを含むことを特徴とする
請求項１記載の近距離無線通信システム。
【請求項８】
前記接続情報は、該接続情報の有効期限を示す日付情報を更に含むことを特徴とする
請求項１記載の近距離無線通信システム。
【請求項９】
ネットワークを介して情報提供用のサーバに接続され、近距離無線通信機能を有する携帯端末に対するサーバの情報提供サービスを中継するためにアクセスポイントに設置される無線通信装置であって、
前記ネットワークに接続するためのネットワークインターフェイスと、前記携帯端末との近距離無線通信を行うための無線通信インターフェイスと、前記携帯端末との近距離無線通信に先立って通信確立のための接続情報を前記携帯端末との間で交換する接続情報交換部と、前記接続情報交換部による接続情報の交換処理及び前記接続情報に基づく前記携帯端末との通信確立処理の制御を行う無線通信管理部とを備えていることを特徴とする無線通信装置。
【請求項１０】
前記接続情報交換部は、前記携帯端末との電気接続のための接続端子を備え、該接続端子を介して前記接続情報の送受信を行うことを特徴とする
請求項９記載の無線通信装置。
【請求項１１】
前記接続情報交換部は、無線通信、光通信、及び光学読み取りのような非接触の情報伝達手段によって前記接続情報の送受信を行うことを特徴とする
請求項９記載の無線通信装置。
【請求項１２】
前記非接触の情報伝達手段が指向性を有することを特徴とする
請求項９記載の無線通信装置。
【請求項１３】
前記携帯端末との近距離無線通信に先立って、ＤＮＳ、ゲートウェイを含むサーバ情報、プリンタアドレス、メールアドレス、ウェブアドレスを含むサービス情報、及び暗号情報のうちの少なくとも１つを含む接続情報を前記接続情報交換部を介して前記携帯端末に送信することを特徴とする
請求項９記載の無線通信装置。
【請求項１４】
前記携帯端末との近距離無線通信に先立って、前記携帯端末の特定情報及び接続プロトコルを含む接続情報を前記接続情報交換部を介して前記携帯端末から受信することを特徴とする
請求項９記載の無線通信装置。
【発明の詳細な説明】
技術分野
この発明は、携帯端末を用いた近距離無線通信システム及びその無線通信装置に関し、詳しくは携帯端末と無線通信装置との間で近距離無線通信を確立するためのパラメータ設定の省力化に関する。
背景技術
近年、携帯電話や個人情報端末（ＰＤＡ）のような携帯端末において、ブルートゥース（Ｂｌｕｅｔｏｏｔｈ）や無線ＬＡＮ（例えばＩＥＥＥ８０２．１１ｂ）の規格に準拠した近距離無線通信機能を備えたものが実用化され、そのような携帯端末を用いた種々のサービスが可能になってきている。
例えば、イベント会場やデパート等において、展示品や商品に関する情報を会場又は店内に設置したアクセスポイントから近距離無線通信によって送信する情報提供サービスが検討されている。このようなサービスを利用すれば、来客である携帯端末のユーザは、自分の所持する携帯端末を用いて会場案内や展示品又は商品に関する情報提供サービスを受けることができる。それにより、イベント会場又は店舗の中で目的の展示品や商品に容易に辿りつくことができる。あるいは、関心のある展示品や商品に関する詳しい情報を携帯端末にダウンロードし、又は印刷出力をすることができる。
このような近距離無線通信に使用されるブルートゥースや無線ＬＡＮによる通信手順では、通信を確立するために種々の通信パラメータを設定する必要がある。従来は、このようなパラメータ設定を携帯端末のユーザが手入力で行う必要があった。
図６は、従来の携帯端末を用いた近距離無線通信システムの例を示すブロック図である。この例では、アクセスポイントに設置された通信中継装置である無線通信装置５１は、有線通信手段５１１によって有線ネットワーク５３を介して、サーバ５４に接続されている。また、携帯端末５２との無線通信インターフェイス５１２を備えている。携帯端末５２も無線通信インターフェイス５２１を備え、無線通信装置５１との近距離無線通信によって、ネットワーク５３上のサーバ５４にアクセスすることができる。
携帯端末５２が近距離無線通信によって無線通信装置５１と接続するためには、以下の手順を経る必要がある。まず、ネットワーク５３で使用されている通信手順（プロトコル）をネットワーク管理者から取得する。例えば、ネットワーク５３で使用されているプロトコルがＴＣＰ／ＩＰである場合は、携帯端末５２が使用するＩＰアドレス、ネットマスク、デフォルトゲートウェイ、及びＤＮＳを設定しなければならない。更に、携帯端末５２が近距離無線通信によって無線通信装置５１に接続するために使用する無線周波チャンネル、グループ名、認証キー、暗号キーを設定する必要がある。これらの通信パラメータ５５は、携帯端末５２に備えられたキーパッド等を含む初期設定入力手段５２２を用いて利用者が手入力で設定する必要がある。
このように、従来の携帯端末を用いた近距離無線通信システムでは、アクセスポイントの無線通信装置との近距離無線通信を行うのに先立って、携帯端末の通信パラメータ設定に多大の労力と時間を要する問題があった。前述の例において、イベント会場やデパート等に集まる携帯端末のユーザが自分の携帯端末をアクセスポイントの無線通信装置に接続してサーバからの情報提供サービスを受けるためには、自分の携帯端末に所定の通信パラメータを設定する必要があり、多数のユーザがそのために時間と労力を費やすことになる。
本発明は、上記のような従来の課題に鑑み、携帯端末を用いた近距離無線通信システムにおいて、携帯端末における近距離無線通信の確立のためのパラメータ設定の省力化を可能にすることを目的とする。
発明の開示
本発明による近距離無線通信システムは、ネットワークを介して情報提供用のサーバに接続された通信中継用の無線通信装置と、前記サーバから情報提供を受けるために近距離無線通信によって前記無線通信装置に接続する携帯端末とからなる近距離無線通信システムであって、前記無線通信装置は、前記ネットワークに接続するためのネットワークインターフェイスと、前記携帯端末との近距離無線通信を行うための無線通信インターフェイスと、前記携帯端末との近距離無線通信に先立って通信確立のための接続情報を前記携帯端末との間で交換する接続情報交換部と、前記接続情報交換部による接続情報の交換処理及び前記接続情報に基づく前記携帯端末との通信確立処理の制御を行う無線通信管理部とを備え、前記携帯端末は、前記無線通信装置との近距離無線通信を行うための無線通信インターフェイスと、前記無線通信装置との近距離無線通信に先立って通信確立のための接続情報を前記無線通信装置との間で交換する接続情報交換部と、前記接続情報交換部による接続情報の交換処理及び前記接続情報に基づく前記無線通信装置との通信確立処理の制御を行う無線通信管理部とを備えていることを特徴とする。
上記の接続情報の交換は、無線通信装置と携帯端末との間で接続情報が双方向に送受信される形態でもよいし、無線通信装置から携帯端末への一方向に接続情報が送受信される形態でもよい。
また、前記無線通信装置の接続情報交換部と前記携帯端末の接続情報交換部とが互いに接触する接続端子を備え、その接続端子間の接触によって前記接続情報が送受信されることが好ましい。あるいは、前記無線通信装置の接続情報交換部と前記携帯端末の接続情報交換部とが無線通信、光通信、及び光学読み取りのような非接触の情報伝達手段によって前記接続情報の送受信を行うように構成してもよい。非接触の情報伝達手段を用いる場合は、情報伝達手段に指向性を持たせることが好ましい。
前記接続情報は、ＤＮＳ、ゲートウェイを含むサーバ情報、プリンタアドレス、メールアドレス、ウェブアドレスを含むサービス情報、及び暗号情報のうちの少なくとも１つを含むことが好ましい。また、接続情報の有効期限を示す日付情報が接続情報に含まれていることも好ましい。
本発明による無線通信装置は、ネットワークを介して情報提供用のサーバに接続され、近距離無線通信機能を有する携帯端末に対するサーバの情報提供サービスを中継するためにアクセスポイントに設置される無線通信装置であって、前記ネットワークに接続するためのネットワークインターフェイスと、前記携帯端末との近距離無線通信を行うための無線通信インターフェイスと、前記携帯端末との近距離無線通信に先立って通信確立のための接続情報を前記携帯端末との間で交換する接続情報交換部と、前記接続情報交換部による接続情報の交換処理及び前記接続情報に基づく前記携帯端末との通信確立処理の制御を行う無線通信管理部とを備えていることを特徴とする。
好ましくは、前記接続情報交換部は、前記携帯端末との電気接続のための接続端子を備え、該接続端子を介して前記接続情報の送受信を行う。あるいは、前記接続情報交換部は、無線通信、光通信、及び光学読み取りのような非接触の情報伝達手段によって前記接続情報の送受信を行う。非接触の情報伝達手段を用いる場合は、情報伝達手段に指向性を持たせるようにすることが好ましい。
また、無線通信装置は、前記携帯端末との近距離無線通信に先立って、ＤＮＳ、ゲートウェイを含むサーバ情報、プリンタアドレス、メールアドレス、ウェブアドレスを含むサービス情報、及び暗号情報のうちの少なくとも１つを含む接続情報を前記接続情報交換部を介して前記携帯端末に送信することが好ましい。
更に、無線通信装置は、前記携帯端末との近距離無線通信に先立って、前記携帯端末の特定情報及び接続プロトコルを含む接続情報を前記接続情報交換部を介して前記携帯端末から受信することが好ましい。
発明を実施するための最良の形態
添付の図面に従って、本発明をより詳細に説明する。
図１は、本発明の実施形態に係る携帯端末を用いた近距離無線通信システムの例を示すブロック図である。この例では、イベント会場のアクセスポイントに携帯端末１との近距離無線通信を行うための無線通信装置２が設置され、情報提供用のサーバ４と無線通信装置２がネットワーク３を介して接続されている。イベント会場に設置される無線通信装置２は１台でも複数台でもよい。例えばイベント会場が複数の展示室（又はブース）からなる場合は、展示室（又はブース）ごとにアクセスポイントを設け、各アクセスポイントに少なくとも１台の無線通信装置２を設置する。
イベント会場を訪れた人は、自分が所持する携帯端末１を用いて、アクセスポイントに設置された無線通信装置２との間でブルートゥース（Ｂｌｕｅｔｏｏｔｈ）や無線ＬＡＮ（例えばＩＥＥＥ８０２．１１ｂ）の規格に準拠した近距離無線通信を行い、ネットワーク３上のサーバ４から展示会場の案内や展示物に関する情報を取得することができる。
携帯端末１は、ブルートゥースや無線ＬＡＮの規格に準拠した近距離無線通信用の無線通信インターフェイス１１を備えた携帯電話や個人情報端末（ＰＤＡ）等の情報機器端末である。無線通信インターフェイス１１は、ＰＤＣ（パーソナルディジタルセルラー）やＣＤＭＡ（符号分割多元接続）のような携帯電話インターフェイスであってもよい。携帯端末１は、無線通信インターフェイス１１の他に、液晶表示器等を用いた表示部１２、キーパッド等を含む操作部１３、無線通信管理部１４、及び接続情報交換部１５を備えている。
無線通信管理部１４は、接続情報交換部１５を介して行われる接続情報の交換や無線通信インターフェイス１１を介して行われる通信確立処理の制御を行う処理装置（ＣＰＵ）１４１、接続情報を一時記憶するメモリ１４３、及び接続情報を永続的に記憶する記憶装置１４２を含む。
接続情報交換部１５は、近距離無線通信に先立って無線通信装置２との間で通信パラメータ等の接続情報の交換を行うための通信手段であり、種々の接続方式が可能である。例えば、接続端子による電気接続、ケーブルを用いた有線接続（例えばＵＳＢ、ＩＥＥＥ１３９４、パラレル）、赤外線通信（例えばＩｒＤＡ方式）又は無線電波通信（第２の近距離無線通信）を用いた非接触方式のうちのいずれかを採用することができる。表示部１２及び操作部１３は接続情報の表示及び接続情報交換のための操作にも使用される。
アクセスポイントに設置される無線通信装置２も、携帯端末１と同様に、無線通信インターフェイス２１、表示部２２、操作部２３、無線通信管理部２４及び接続情報交換部２５を備えている。無線通信管理部２４は、接続情報の交換や通信確立処理の制御を行う処理装置（ＣＰＵ）２４１、接続情報を一時記憶するメモリ２４３、接続情報を永続的に記憶する記憶装置２４２を含む。
無線通信インターフェイス２１には、携帯端末１の無線通信インターフェイス１１と同様に、ブルートゥース、無線ＬＡＮ又は携帯電話インターフェイスが採用される。接続情報交換部２５も携帯端末１の接続情報交換部１５と同様に、接続端子方式、ケーブル接続方式、非接触方式のいずれかの接続方式が採用される。無線通信装置２は更に、情報提供用のサーバ４が接続されたネットワークに接続するためのネットワークインターフェイス２６を備えている。
携帯端末１の接続情報交換部１５と無線通信装置２の接続情報交換部２５とが接触方式又はケーブル接続方式で接続情報の交換を行う場合は、混信やノイズの影響を小さくすることが容易である。非接触方式を採用する場合は、混信やノイズの影響を小さくするために、接続情報交換部１５，２５に指向性を持たせることが好ましい。例えば、赤外線通信の場合は指向性を狭くすることが容易である。無線電波通信（第２の近距離無線通信）を用いる場合は、アンテナの形状等を工夫することにより指向性を持たせることができる。
次に、携帯端末１と無線通信装置２との間で交換される接続情報の詳細について説明する。無線通信装置２から携帯端末１に送信される接続情報には、ＤＮＳ、ゲートウェイを含むサーバ情報、プリンタアドレス、メールアドレス、ウェブアドレスを含むサービス情報、及び暗号情報（鍵情報）のうちの少なくとも１つが含まれる。その他に、無線通信装置の機器ＩＤ、ユーザ認証用パスワード、サーバ４からの情報提供の対象となる情報に関するメタ情報等を含めてもよい。更に、接続情報の有効期限を示す日付情報を接続情報に含めてもよい。これにより例えば、イベント開催期間のみ、あるいは開催期間のうちの特定日のみを接続可能とすることができる。
また、携帯端末１から無線通信装置２に送信される接続情報には、携帯端末の機器アドレス（マックアドレス、ブルートゥースアドレス）及び接続プロトコルが含まれる。その他に、ユーザ認証用パスワードを含めてもよい。
接続情報の交換は、必ずしも双方向に行う必要は無く、少なくとも無線通信装置２から携帯端末１に上記の接続情報を送信すればよい。まず、接続情報の交換が無線通信装置２から携帯端末１への一方向のみで行われる例を図２及び図３に基づいて説明する。
図２は、図１に示した近距離無線通信システムの要部を抽出して示す第１例のブロック図である。図３は、携帯端末と無線通信装置との間の情報の送受信に関する第１例の説明図である。
図２に破線の矢印で示すように、この例では、無線通信装置２の接続情報交換部２５から携帯端末１の接続情報交換部１５へ一方向に接続情報が送受信される。図３において、まず、携帯端末１と無線通信装置２との間で無手順による接続確立が行われる（＃１０１）。例えば、展示室（ブース）の入口に設けられたアクセスポイントに設置された無線通信装置２に携帯端末１をセットすれば自動的に接続確立が行われる。特定のキー操作によって接続確立が行われるようにしてもよい。
接続確立の後、無線通信装置２（接続情報交換部２５）から携帯端末１（接続情報交換部１５）へ接続情報の送信が行われる（＃１０２）。接続情報には、ＤＮＳ、ゲートウェイを含むサーバ情報、プリンタアドレス、メールアドレス、ウェブアドレスを含むサービス情報、及び暗号情報（暗号鍵）等が含まれる。その他に、ＴＣＰ／ＩＰプロトコルのためのＩＰアドレスやＷＩＮＳ、ネットマスクが含まれる場合もある。また、接続相手の認証のためのパスワードを含めてもよい。無線通信装置２の無線通信管理部２４の処理装置２４１（図１参照）は、このような接続情報を記憶装置２４２から読み出して接続情報交換部２５に与える。
携帯端末１では、接続情報交換部１５が受信した接続情報を無線通信管理部１４の処理装置１４１（図１参照）がメモリ１４３に記憶させると共に、不揮発性の記憶装置１４２に登録する。ここまでの処理は、接触方式又は赤外線通信等による非接触方式の接続情報交換部１５及び２５を介して行われる。
この後、携帯端末１から無線通信装置２に対して無線通信インターフェイス１１を使用してサーバ４への接続要求が送信される（＃１０３）。このとき、携帯端末１の無線通信管理部１４は、すでに取得しているサーバ情報やサービス情報を含む接続情報を使用して、所望のサービス及びサーバ４を選択し、暗号化を行う。これにより、所望のサービスをオンラインで検索するといった手順を省略することができる。例えば、展示品に関する詳細情報の印刷を携帯端末１のユーザが希望する場合は、所望のプリンタアドレスを指定する。
無線通信装置２は、無線通信インターフェイス２１を介して携帯端末１からの接続要求を受信し、携帯端末１と無線通信装置２との間で近距離無線通信による接続確立が行われる（＃１０４）。この後、携帯端末１のユーザは、無線通信装置２を介してネットワーク３に接続し、所望の情報をサーバ４から取得することができる。
次に、携帯端末１と無線通信装置２との間で接続情報の交換が双方向に行われる例を図４及び図５に基づいて説明する。
図４は、図１に示した近距離無線通信システムの要部を抽出して示す第２例のブロック図である。図５は、携帯端末と無線通信装置との間の情報の送受信に関する第２例の説明図である。
図４に破線の矢印で示すように、この例では、無線通信装置２の接続情報交換部２５と携帯端末１の接続情報交換部１５との間で双方向に接続情報が送受信される。図５において、無手順による接続確立（＃２０１）及び無線通信装置２（接続情報交換部２５）から携帯端末１（接続情報交換部１５）へ接続情報の送信（＃２０２）については、図３に示した処理（＃１０１及び＃１０２）と同様である。この後、本例では携帯端末１から無線通信装置２への接続情報の送信が行われる（＃２０３）。携帯端末１から無線通信装置２への接続情報には、携帯端末１のＭＡＣアドレスやブルートゥースアドレスのような特定情報及び接続プロトコルの情報が含まれる。
この後の携帯端末１から無線通信装置２に対して無線通信インターフェイス１１を使用してサーバ４への接続要求を送信する処理（＃２０４）は、図３に示した処理（＃１０３）と同様である。接続要求を受信した無線通信装置２は、近距離無線通信による接続確立に先立って、携帯端末１から受信した接続情報（特定情報）に基づいて接続を許可してよいか否かをチェックし、許可してよいと判断したときのみ接続許可を携帯端末１に送信する。そして、携帯端末１と無線通信装置２との間で近距離無線通信による接続確立が行われ（＃２０６）、携帯端末１のユーザは無線通信装置２を介してネットワーク３に接続し、所望の情報をサーバ４から取得することができる。この例では、携帯端末１のＭＡＣアドレスやブルートゥースアドレスのような特定情報をあらかじめ無線通信装置２が受信して登録しておき、接続要求があったときにその特定情報を参照して接続を許可してよいか否かをチェックするので、図３に示した例に比べてセキュリティが高くなる。
携帯端末１と無線通信装置２との間の近距離無線通信について以下に説明を加える。
携帯端末１は、記憶装置１４２に記憶されている接続情報、例えば、無線ＬＡＮにおけるＬＡＮカード固有のＭＡＣアドレス、ブルートゥースにおけるブルートゥースアドレス、ＴＣＰ／ＩＰプロトコルを使用する場合のＩＰアドレス、ＤＮＳ、ＷＩＮＳ、ネットマスク、デフォルトゲートウェイ等の情報を用いて無線通信装置２との近距離無線通信を行う。また接続相手の確認のためのパスワードのような認証情報や送受信データの暗号化に使用する鍵情報が必要となる場合もある。
無線通信管理部１４は、これらの接続情報を記憶装置１４２から読み出し、接続情報交換部１５を介して、無線通信装置２の接続情報交換部２５に送信する。無線通信装置２は、接続情報交換部２５で受信した接続情報を、処理装置２４１に一時的に記録する。また、電源が切れたときに接続情報を失わないようにするために、取得した接続情報を記憶装置２４２にも保存する。処理装置２４１はメモリ２４３に記録した接続情報のうち、無線ＬＡＮの場合はＭＡＣアドレス及びＩＰアドレスを接続相手データとして使用し、ブルートゥースの場合はブルートゥースアドレスを接続相手データとして使用し、ネットワーク３の物理層の接続を開始する。また、ＴＣＰ／ＩＰプロトコルで接続を行う場合は、その他の設定情報（ネットマスク、ＤＮＳ、ＷＩＮＳ、デフォルトゲートウェイ情報をメモリ２４３内にセットする。
無線通信インターフェイス１１を使用して無線通信装置２に接続する携帯端末１は、接続相手の確認のためパスワードを接続相手である無線通信装置２に対して要求する。その要求を無線通信装置２の処理装置２４１が解釈し、該当するパスワードをメモリ２４３に保持している接続情報の中から検索し、該当するパスワードが見つかれば、処理装置２４１が無線通信インターフェイス２１を介してその情報を携帯端末１へ送信する。該当するパスワードが無い場合に、携帯端末１のユーザに対して表示部１２を用いて問い合わせを行う。このように事前に接続情報交換部１５，２５を介して取得した接続情報にしたがって、無線通信管理部１４，２４が自動的に通信設定を行うので、ユーザが手入力で通信設定を行う必要がない。同様に、暗号化の指示が携帯端末１からあれば、無線通信装置２は、該当する暗号情報をメモリ２４３内の接続情報から検索し、その暗号情報（鍵情報）を用いて処理装置２４１が送信データの暗号化を実行するので、暗号化に使用する鍵情報をユーザが入力する必要がない。
また、近距離無線による接続を確立後、無線通信インターフェイス１１，２１によって構成される無線ネットワークと無線通信装置２がネットワークインターフェイス２６を介して接続しているネットワーク３は、処理装置２４１がＩＰパケットのヘッダを書き替えるＮＡＴ機能を実行することにより、相互に接続することができる。
以上、本発明を実施形態及び変形例を用いて説明したが、本発明は上記の実施形態に限らず、種々の形態で実施することが可能である。
産業上の利用可能性
以上のように、本発明による携帯端末を用いた近距離無線通信システム及びその無線通信装置によれば、近距離無線通信に先立って、その接続確立に必要な接続情報を、接続端子や赤外線通信（ＩｒＤＡ）等を用いた比較的簡単に接続可能な通信手段を用いた接続情報交換部によって交換しておく。そして、近距離無線通信を開始する際に、あらかじめ交換しておいた接続情報を用いて近距離無線通信の接続確立を行う。したがって、携帯端末のユーザはそのような接続情報を手入力で設定する必要が無くなる。また、近距離無線通信のための設定に関する知識の乏しいユーザであっても容易に無線通信装置を介してネットワークに接続し、サーバから所望の情報を得ることができるようになる。
【図面の簡単な説明】
図１は、本発明の実施形態に係る携帯端末を用いた近距離無線通信システムの例を示すブロック図である。
図２は、図１に示した近距離無線通信システムの要部を抽出して示す第１例のブロック図である。
図３は、携帯端末と無線通信装置との間の情報の送受信に関する第１例の説明図である。
図４は、図１に示した近距離無線通信システムの要部を抽出して示す第２例のブロック図である。
図５は、携帯端末と無線通信装置との間の情報の送受信に関する第２例の説明図である。
図６は、従来の携帯端末を用いた近距離無線通信システムの例を示すブロック図である。
【図１】
2003061205.tif 000003
【図２】
2003061205.tif 000004
【図３】
2003061205.tif 000005
【図４】
2003061205.tif 000006
【図５】
2003061205.tif 000007
【図６】
2003061205.tif 000008
【国際調査報告】
2003061205.tif 000009
2003061205.tif 000010